(57)【要約】【課題】レーベル面上に既に描画されているレーベル画像中の描画事項を避けて描画事項がレイアウトされた望ましいレーベル画像を容易に得ることができるレーベル画像描画装置、レーベル画像描画プログラム、およびレーベル画像描画プログラム記憶媒体を提供する。【解決手段】レーベル画像を編集する編集部６１０と、編集部６１０で編集されたレーベル画像をＤＶＤ３００に描画するレーベル画像描画部６２０と、レーベル画像を表す画像データを、レーベル画像が描画されたＤＶＤ３００を特定する特定情報とともに保存するレイアウト保存部６３０と、編集部６１０による編集に際し、上記の特定情報とともに保存されている画像データを入手するレイアウト入手部６４０と、レイアウト入手部６４０によって入手された画像データが表すレーベル画像を、編集部６１０によるレーベル画像編集のベースとして表示するレイアウト表示部６５０とを備えた。【選択図】        図５
2007272347.tif 000002
【特許請求の範囲】
【請求項１】
データが記録されるデータ面と、該データ面の記録内容を視覚的に確認するためのレーベル画像が描画されるレーベル面とを有する記録メディアについてレーベル画像を編集する編集部と、
前記編集部で編集されたレーベル画像を前記記録メディアに描画するレーベル画像描画部と、
前記レーベル画像のレイアウトを表すレイアウト情報を、該レーベル画像が描画された記録メディアに対応付けて保存するレイアウト保存部と、
前記編集部による編集に際し、編集対象のレーベル画像が描画される記録メディアに対応付けられて保存されているレイアウト情報を入手するレイアウト入手部と、
前記レイアウト入手部によって入手されたレイアウト情報が表すレイアウトを、前記編集部によるレーベル画像編集のベースとして表示するレイアウト表示部とを備えたことを特徴とするレーベル画像描画装置。
【請求項２】
前記レイアウト保存部が、前記レイアウト情報として、前記レーベル画像を表す画像データを保存するものであり、
前記レイアウト表示部が、前記画像データが表すレーベル画像を表示することによって前記レイアウトを表示するものであることを特徴とする請求項１記載のレーベル画像描画装置。
【請求項３】
前記レイアウト保存部が、前記レイアウト情報を、前記記録メディアを特定する特定情報とともに保存することで、該レイアウト情報と該記録メディアとを対応付けるものであることを特徴とする請求項１記載のレーベル画像描画装置。
【請求項４】
前記レイアウト保存部が、前記レイアウト情報を前記記録メディアのデータ面に保存することで該レイアウト情報と該記録メディアとを対応付けるものであることを特徴とする請求項１記載のレーベル画像描画装置。
【請求項５】
前記記録メディアが、データが光で記録されるデータ面と、その光で前記レーベル画像が描画されるレーベル面とを有するものであることを特徴とする請求項１記載のレーベル画像描画装置。
【請求項６】
コンピュータに組み込まれ、該コンピュータ上に、
データが記録されるデータ面と、該データ面の記録内容を視覚的に確認するためのレーベル画像が描画されるレーベル面とを有する記録メディアについてレーベル画像を編集する編集部と、
前記編集部で編集されたレーベル画像を前記記録メディアに描画するレーベル画像描画部と、
前記レーベル画像のレイアウトを表すレイアウト情報を、該レーベル画像が描画された記録メディアに対応付けて保存するレイアウト保存部と、
前記編集部による編集に際し、編集対象のレーベル画像が描画される記録メディアに対応付けられて保存されているレイアウト情報を入手するレイアウト入手部と、
前記レイアウト入手部によって入手されたレイアウト情報が表すレイアウトを、前記編集部によるレーベル画像編集のベースとして表示するレイアウト表示部とを構築することを特徴とするレーベル画像描画プログラム。
【請求項７】
コンピュータに組み込まれ、該コンピュータ上に、
データが記録されるデータ面と、該データ面の記録内容を視覚的に確認するためのレーベル画像が描画されるレーベル面とを有する記録メディアについてレーベル画像を編集する編集部と、
前記編集部で編集されたレーベル画像を前記記録メディアに描画するレーベル画像描画部と、
前記レーベル画像のレイアウトを表すレイアウト情報を、該レーベル画像が描画された記録メディアに対応付けて保存するレイアウト保存部と、
前記編集部による編集に際し、編集対象のレーベル画像が描画される記録メディアに対応付けられて保存されているレイアウト情報を入手するレイアウト入手部と、
前記レイアウト入手部によって入手されたレイアウト情報が表すレイアウトを、前記編集部によるレーベル画像編集のベースとして表示するレイアウト表示部とを構築するレーベル画像描画プログラムが記憶されてなることを特徴とするレーベル画像描画プログラム記憶媒体。
【発明の詳細な説明】
【技術分野】
【０００１】
本発明は、データが記録されるデータ面と、そのデータ面の記録内容を視覚的に確認するためのレーベル画像が描画されるレーベル面とを有する記録メディアのレーベル面にレーベル画像を描画するレーベル画像描画装置と、コンピュータをそのようなレーベル画像描画装置として動作させるレーベル画像描画プログラムと、そのようなレーベル画像描画プログラムが記憶されてなるレーベル画像描画プログラム記憶媒体とに関する。
【背景技術】
【０００２】
近年、画像データ、動画データ、音声データ、およびテキストデータ等といった様々なデータ種類のデータを記録する記録メディアとして、例えばＣＤ−Ｒ（Ｃｏｍｐａｃｔ  Ｄｉｓｋ  Ｒｅｃｏｒｄａｂｌｅ）やＣＤ−ＲＷ（Ｃｏｍｐａｃｔ  Ｄｉｓｋ  Ｒｅｗｒｉｔａｂｌｅ）やＤＶＤ（Ｄｉｇｉｔａｌ  Ｖｅｒｓａｔｉｌｅ  Ｄｉｓｋ）等が普及している。このような記録メディアの多くは、データが記録されるデータ面と、そのデータ面とは反対側の面であって、例えば音声データが表わす音楽の曲名や作曲者等といった記録内容を視覚的に確認するためのレーベル画像が描画されるレーベル面とを有している。
【０００３】
レーベル面にレーベル画像を描画する方法としては、例えば、レーベル画像が印刷されたシール等をレーベル面に貼付することで、レーベル面にレーベル画像を間接的に描画する方法や、レーベル画像をインクジェットプリンタ等を使ってレーベル面に直接に描画する方法等が挙げられる。また、近年では、データが光で記録される記録面と、その光でレーベル画像が描画されるレーベル面とを有する記録メディアや、そのような記録メディアのレーベル面にレーベル画像を光で描画する装置等も提案されている。
【０００４】
ここで、既にデータが記録されレーベル画像が描画されている記録メディアに、さらにデータを追加記録し、その追加分の記録内容を表わす追加分のレーベル画像をレーベル面に描き足す等といったことが良く行われる。このとき、そのような追加分のレーベル画像は、追加分の記録内容を示す絵や文字列等といった描画事項が、レーベル面上に既に描画されているレーベル画像中の描画事項を避けてレイアウトされたものであることが望ましい。
【０００５】
印刷の分野では、既に画像が印刷されている印刷物上に新たに追加印刷される画像を編集するに当たり、その新たな画像を構成する絵や文字列等といった描画事項を、既に印刷されている画像中の描画事項を避けてレイアウトする次のような技術が提案されている。
【０００６】
例えば、既に画像が印刷されている印刷物をカメラで撮影し、その撮影で得た画像を、追加印刷用のレイアウトとして表示するという技術が提案されている（例えば、特許文献１参照。）。
【０００７】
また、例えば、様々な描画事項について、各描画事項が互いに重ならないようなレイアウトを予め決めて記憶しておき、既に画像が印刷されている印刷物上に新たに追加印刷される画像を編集する際には、その新たな画像の描画事項を、その描画事項について記憶されているレイアウトに従って、既に印刷されている画像の描画事項を避けて配置するという技術が提案されている（例えば、特許文献２参照。）。
【特許文献１】特開２００３−１７８３１７号公報
【特許文献２】特開２０００−９０２８１号公報
【発明の開示】
【発明が解決しようとする課題】
【０００８】
これらの特許文献に示されている技術をレーベル画像の描画に適用することで、上記のような追加分のレーベル画像として、描画事項が、レーベル面上に既に描画されているレーベル画像中の描画事項を避けてレイアウトされた望ましいレーベル画像を得ることができる。しかしながら、特許文献１に示されている技術を適用すると、既に描画されているレーベル画像を撮影する必要があり煩雑である。また、特許文献２に示されている技術を適用すると、レイアウトが記憶されている描画事項しか使用できなくなり、レーベル画像の描画における自由度が低い。
【０００９】
本発明は、上記事情に鑑み、レーベル面上に既に描画されているレーベル画像中の描画事項を避けて描画事項がレイアウトされた望ましいレーベル画像を容易に得ることができるレーベル画像描画装置、コンピュータをそのようなレーベル画像描画装置として動作させることができるレーベル画像描画プログラム、および、そのようなレーベル画像描画プログラムが記憶されてなるレーベル画像描画プログラム記憶媒体を提供することを目的とする。
【課題を解決するための手段】
【００１０】
上記目的を達成する本発明のレーベル画像描画装置は、データが記録されるデータ面と、そのデータ面の記録内容を視覚的に確認するためのレーベル画像が描画されるレーベル面とを有する記録メディアについてレーベル画像を編集する編集部と、
上記編集部で編集されたレーベル画像を上記記録メディアに描画するレーベル画像描画部と、
上記レーベル画像のレイアウトを表すレイアウト情報を、そのレーベル画像が描画された記録メディアに対応付けて保存するレイアウト保存部と、
上記編集部による編集に際し、編集対象のレーベル画像が描画される記録メディアに対応付けられて保存されているレイアウト情報を入手するレイアウト入手部と、
上記レイアウト入手部によって入手されたレイアウト情報が表すレイアウトを、上記編集部によるレーベル画像編集のベースとして表示するレイアウト表示部とを備えたことを特徴とする。
【００１１】
本発明のレーベル画像描画装置によれば、レーベル画像が描画される際には、そのレーベル画像のレイアウトが、そのレーベル画像が描画された記録メディアに対応付けられて保存される。また、レーベル画像の編集の際には、そのレーベル画像が描画される記録メディアに対応付けられて保存されているレイアウトが表示される。このため、既にレーベル画像が描画されている記録メディアについて新たに追加描画されるレーベル画像の編集の際には、その既に描画されているレーベル画像のレイアウトが表示されることとなる。これにより、ユーザは、既に描画されているレーベル画像中の様々な描画事項の配置や大きさを、新たなレーベル画像の編集中に知ることができるので、その新たなレーベル画像の描画事項を、既に描画されている描画事項を避けて配置することができる。また、本発明のレーベル画像描画装置によれば、例えばカメラによる撮影等といった特別な作業を行うことなく既に描画されているレーベル画像中の様々な描画事項の配置や大きさを知ることができるので、描画事項が既に描画されている描画事項を避けて配置されている望ましいレーベル画像を得るための作業が容易である。つまり、本発明のレーベル画像描画装置によれば、そのような望ましいレーベル画像を容易に得ることができる。
【００１２】
ここで、本発明のレーベル画像描画装置において、「上記レイアウト保存部が、上記レイアウト情報として、上記レーベル画像を表す画像データを保存するものであり、
上記レイアウト表示部が、上記画像データが表すレーベル画像を表示することによって上記レイアウトを表示するものである」という形態は好ましい形態である。
【００１３】
この好ましい形態のレーベル画像描画装置によれば、新たに追加描画されるレーベル画像の編集の際には、既に描画されているレーベル画像そのものが表示されるので、ユーザはそのレーベル画像のレイアウトを一層容易に把握することができる。
【００１４】
また、本発明のレーベル画像描画装置において、「上記レイアウト保存部が、上記レイアウト情報を、上記記録メディアを特定する特定情報とともに保存することで、そのレイアウト情報とその記録メディアとを対応付けるものである」という形態や、
「上記レイアウト保存部が、上記レイアウト情報を上記記録メディアのデータ面に保存することでそのレイアウト情報とその記録メディアとを対応付けるものである」という形態も好ましい形態である。
【００１５】
これらの好ましい形態のレーベル画像描画装置によれば、上記レイアウト情報と上記記録メディアとの対応付けを一層確実に行うことができる。また、後者の形態によれば、上記レイアウト情報の保存場所として上記記録メディアのデータ面が使われるので、上記レイアウト情報のための特別な保存場所が必要でなく、容易かつ確実に上記レイアウト情報と上記記録メディアとの対応付けを行うことができる。
【００１６】
また、本発明のレーベル画像描画装置は、レーベル画像が印刷されたシール等がレーベル面に貼付されるタイプの記録メディアや、あるいはレーベル画像がインクジェットプリンタ等でレーベル面に描画されるタイプの記録メディア等といった様々なタイプの記録メディアに対応可能である。
【００１７】
ここで、本発明のレーベル画像描画装置において、「上記記録メディアが、データが光で記録されるデータ面と、その光で上記レーベル画像が描画されるレーベル面とを有するものである」という形態は好ましい形態である。
【００１８】
このような好ましい形態のレーベル画像描画装置によれば、データの記録とレーベル画像の描画とを同じ光を使って行うことができるので装置の一層の簡単化が図られる。
【００１９】
また、上記目的を達成する本発明のレーベル画像描画プログラムは、コンピュータに組み込まれ、そのコンピュータ上に、
データが記録されるデータ面と、そのデータ面の記録内容を視覚的に確認するためのレーベル画像が描画されるレーベル面とを有する記録メディアについてレーベル画像を編集する編集部と、
上記編集部で編集されたレーベル画像を上記記録メディアに描画するレーベル画像描画部と、
上記レーベル画像のレイアウトを表すレイアウト情報を、そのレーベル画像が描画された記録メディアに対応付けて保存するレイアウト保存部と、
上記編集部による編集に際し、編集対象のレーベル画像が描画される記録メディアに対応付けられて保存されているレイアウト情報を入手するレイアウト入手部と、
上記レイアウト入手部によって入手されたレイアウト情報が表すレイアウトを、上記編集部によるレーベル画像編集のベースとして表示するレイアウト表示部とを構築することを特徴とする。
【００２０】
本発明のレーベル画像描画プログラムによれば、望ましいレーベル画像を容易に得ることができる上記のようなレーベル画像描画装置を容易に実現することができる。
【００２１】
また、上記目的を達成する本発明のレーベル画像描画プログラム記憶媒体は、コンピュータに組み込まれ、そのコンピュータ上に、
データが記録されるデータ面と、そのデータ面の記録内容を視覚的に確認するためのレーベル画像が描画されるレーベル面とを有する記録メディアについてレーベル画像を編集する編集部と、
上記編集部で編集されたレーベル画像を上記記録メディアに描画するレーベル画像描画部と、
上記レーベル画像のレイアウトを表すレイアウト情報を、そのレーベル画像が描画された記録メディアに対応付けて保存するレイアウト保存部と、
上記編集部による編集に際し、編集対象のレーベル画像が描画される記録メディアに対応付けられて保存されているレイアウト情報を入手するレイアウト入手部と、
上記レイアウト入手部によって入手されたレイアウト情報が表すレイアウトを、上記編集部によるレーベル画像編集のベースとして表示するレイアウト表示部とを構築するレーベル画像描画プログラムが記憶されてなることを特徴とする。
【００２２】
本発明のレーベル画像編集プログラム記録媒体は、ＦＤ（フレキシブルディスク）、ＣＤ−Ｒ、ＣＤ−ＲＷ、ＭＯ、ＤＶＤ等といった記憶媒体の他、ハードディスクやメモリチップ等であっても良い。
【００２３】
尚、本発明のレーベル画像描画プログラム、および本発明のレーベル画像描画プログラム記憶媒体については、ここではその基本形態のみを示すのにとどめるが、これは単に重複を避けるためであり、レーベル画像描画プログラム、およびレーベル画像描画プログラム記憶媒体には、前述したレーベル画像描画装置の各形態に対応する各種の形態が含まれる。
【発明の効果】
【００２４】
以上、説明したように、本発明によれば、レーベル面上に既に描画されているレーベル画像中の描画事項を避けて描画事項がレイアウトされた望ましいレーベル画像を容易に得ることができるレーベル画像描画装置、コンピュータをそのようなレーベル画像描画装置として動作させることができるレーベル画像描画プログラム、および、そのようなレーベル画像描画プログラムが記憶されてなるレーベル画像描画プログラム記憶媒体を得ることができる。
【発明を実施するための最良の形態】
【００２５】
以下図面を参照して本発明の実施の形態を説明する。
【００２６】
図１は、本発明のレーベル画像描画装置の一実施形態として動作するコンピュータシステムの外観斜視図である。
【００２７】
この図１に示すコンピュータシステム１０は、パーソナルコンピュータ１００と、そのパーソナルコンピュータ１００に接続されたＤＶＤドライブ２００とで構成されている。
【００２８】
パーソナルコンピュータ１００は、外観構成上、本体装置１１０、その本体装置１１０からの指示に応じて表示画面１２１上に画像を表示する画像表示装置１２０、本体装置１１０に、キー操作に応じた各種の情報を入力するキーボード１３０、および、表示画面１２１上の任意の位置を指定することにより、その位置に表示された、例えばアイコンなどに応じた指示を入力するマウス１４０を備えている。この本体装置１１０は、外観上、フレキシブルディスク（以下、ＦＤと省略する）を装填するためのＦＤ装填口１１０ａ、およびＣＤ−ＲＯＭを装填するためのＣＤ−ＲＯＭ装填口１１０ｂを有する。
【００２９】
ＤＶＤドライブ２００は、外観上、ＤＶＤを装填するためのＤＶＤ装填口２００ａを有する。このＤＶＤドライブ２００は、データが光で記録されるデータ面と、その光でレーベル画像が描画されるレーベル面とを有するレーベル描画型のＤＶＤ３００に対応したものであり、このようなＤＶＤ３００に対する、レーザ光によるデータ面へのデータの記録と、そのレーザ光によるレーベル面へのレーベル画像の描画とを実行する機能を有している。このＤＶＤドライブ２００では、データの記録の際には、ＤＶＤ３００は、データ面が図中で下向きにされて装填され、レーベル画像の描画の際には、逆に、レーベル面が下向きにされて装填される。ここで、上記のレーベル描画型のＤＶＤ３００が、本発明にいう記録メディアの一例に相当する。
【００３０】
以下、このＤＶＤドライブ２００の内部構成について説明する。
【００３１】
図２は、図１に示すＤＶＤドライブ２００の内部構成を示すハードウェアブロック図である。
【００３２】
この図２に示すＤＶＤドライブ２００は、光ピックアップ２０１、スピンドルモータ２０２、回転検出器２０３、ＲＦ（Ｒａｄｉｏ  Ｆｒｅｑｕｅｎｃｙ）アンプ２０４、デコーダ２０５、サーボ回路２０６、ステッピングモータ２０７、モータドライバ２０８、インタフェース回路２０９、バッファメモリ２１０、エンコーダ２１１、ストラテジ回路２１２、フレームメモリ２１３、データ変換器２１４、レーザパワー自動制御（Ａｕｔｍａｔｉｃ  Ｌａｓｅｒ  Ｐｏｗｅｒ  Ｃｏｎｔｒｏｌ：ＡＬＰＣ）回路２１５、レーザドライバ２１６、および制御回路２１７を備えている。このＤＶＤドライブ２００は、図１にも示すパーソナルコンピュータ１００に、インタフェース回路２０９を介して接続されている。
【００３３】
まず、このＤＶＤドライブ２００における、ＤＶＤ３００へのデータの記録について説明する。
【００３４】
上述したようにこのＤＶＤドライブ２００は、レーベル描画型のＤＶＤに対応した装置であり、このＤＶＤドライブ２００に装填されるＤＶＤ３００は、データが光で記録されるデータ面と、その光でレーベル画像が描画されるレーベル面とを有している。
【００３５】
データの記録時には、ＤＶＤ３００は、データ面が光ピックアップ２０１と対向するように、データ面を下に向けてＤＶＤドライブ２００に装填される。装填されたＤＶＤ３００は、不図示の保持機構で保持された状態で、スピンドルモータ２０２によって回転駆動される。また、このときには、記録に最適な回転速度が制御回路２１７からサーボ回路２０６に伝えられる。さらに、スピンドルモータ２０２の回転速度が回転検出器２０３によって検出され、その回転検出器２０３からその回転速度を表わす速度信号もサーボ回路２０６に伝えられる。サーボ回路２０６は、両者を比較し、速度信号が表わす回転速度が、上記の最適な回転速度となるようにスピンドルモータ２０２の回転速度を制御する。
【００３６】
このように制御されたされた回転速度で回転するＤＶＤ３００のデータ面に対して、後述するように光ピックアップ２０１からレーザ光が照射されることで、そのデータ面にデータが記録される。光ピックアップ２０１は、レーザダイオード、受光素子、および集光レンズ等からなる光学系を有しており、データの記録は、レーザダイオードが発し集光レンズで集光されたレーザ光によって行なわれる。また、光ピックアップ２０１は、集光されたレーザ光のデータ面上での微小な位置決めを行なうサーボ機構や、集光レンズに対するフォーカス制御を行なうフォーカス機構を有している。これらの機構の動作が、制御回路２１７からの指示に従ったサーボ回路２０６によって制御され、正確に集光されたレーザ光が、ＤＶＤ３００のデータ面上の目標位置に正確に照射される。このとき、記録に最適なレーザ光強度が制御回路２１７からＡＬＰＣ回路２１５に伝えられる。また、光ピックアップ２０１は、レーザダイオードが発するレーザ光の強度をモニタするセンサを有しており、レーザダイオードがレーザ光を発する際には、このセンサによってモニタされたレーザ光の強度もＡＬＰＣ回路２１５に伝えられる。ＡＬＰＣ回路２１５は、両者を比較し、レーザダイオードが発するレーザ光の強度を上記の最適なレーザ光強度に一致させるための制御信号をレーザドライバ２１６に送る。
【００３７】
ここで、ＤＶＤ３００に記録されるデータは、インタフェース回路２０９を介してパーソナルコンピュータ１００から供給され、バッファメモリ２１０に一時的に記憶される。そして、このバッファメモリ２１０内のデータは、エンコーダ２１１によって適宜に読み出され、所定の符号化処理によってＤＶＤ３００への記録に適した符号化データに変換される。この符号化データはストラテジ回路２１２に供給され、このストラテジ回路２１２によって、時間軸補正等の補正処理が施された後に、レーザドライバ２１６に供給される。
【００３８】
レーザドライバ２１６は、光ピックアップ２０１のレーザダイオードを、この補正処理を経た符号化データに従って駆動する駆動信号を生成してその光ピックアップ２０１に送る。そして、光ピックアップ２０１が、上記の符号化データに従って変調されたレーザ光をデータ面に照射することで、その符号化データが、レーザ光の照射によって生じるマークでデータ面に記録されることとなる。このとき、このレーザドライバ２１６は、上記の駆動信号を生成する際には、その駆動信号に、ＡＬＰＣ回路２１５から送られた制御信号を反映させるので、データの記録が、常に、最適なレーザ光強度で行なわれることとなる。
【００３９】
次に、このＤＶＤドライブ２００における、ＤＶＤ３００に記録されたデータの再生について説明する。
【００４０】
このデータの再生の際にも、ＤＶＤ３００は、データ面が光ピックアップ２０１に対向するように装填され、スピンドルモータ２０２によって最適な回転速度で回転される。
【００４１】
データの再生時には、光ピックアップ２０１のレーザダイオードが発しＤＶＤ３００のデータ面で反射されたレーザ光が、この光ピックアップ２０１の受光素子で受光される。このとき、ＤＶＤ３００のデータ面で反射されたレーザ光の強度は、そのデータ面における上記のマークの有無に従って変化する。マークの有無は上記の符号化データに対応しているので、データ面で反射されたレーザ光が受光素子で受光されることによって得られる受光データは、そのデータ面に記録されている符号化データと同等な符号化データとなる。受光素子で得られた受光データは、ＲＦアンプ２０４によって増幅され、デコーダ２０５に送られる。デコーダ２０５は、その送られた受光データに所定の復号化処理を施すことによって、その受光データからデータを再生して制御回路２１７に送る。制御回路２１７は、その再生されたデータをインタフェース回路２０９を介してパーソナルコンピュータ１００に送る。
【００４２】
次に、このＤＶＤドライブ２００における、ＤＶＤ３００へのレーベル画像の描画について説明する。
【００４３】
上述したように、このＤＶＤドライブ２００に装填されるＤＶＤ３００は、データ面に対するデータの記録に使われた光でレーベル画像が描画されるレーベル面を有している。ここで、このレーベル面へのレーベル画像の描画には、データの記録を行う光ピックアップ２０１が使われる。そこで、レーベル画像の描画が行われる際には、ＤＶＤ３００は、レーベル面が光ピックアップ２０１に対向するように、このレーベル面を下に向けて装填されることとなる。
【００４４】
レーベル画像を表わす画像データは、インタフェース回路２０９を介してパーソナルコンピュータ１００から供給され、フレームメモリ２１３に一時的に記憶される。そして、このフレームメモリ２１３内の画像データは、データ変換器２１４によって適宜に読み出され、その画像データが表わすレーベル画像を階調値で表現した階調画像データに変換される。この階調画像データが、レーザドライバ２１６に供給される。そして、レーザドライバ２１６が、光ピックアップ２０１のレーザダイオードを、この階調画像データに従って駆動する駆動信号を生成する。
【００４５】
ここで、本実施形態で使用されるＤＶＤ３００のレーベル面は光が照射されると、その光に反応して照射された部分が薄まるレーベル色を有している。そして、このレーベル色の薄まりは、光の照射回数が多いほど強まる。本実施形態では、階調画像データが表わすレーベル画像の各部の階調値に従って、上記の駆動信号によって適宜にオン／オフされるレーザ光で、回転駆動されているＤＶＤ３００のレーベル面が繰返し走査される。その結果、レーベル面における、レーベル画像の各部に対応する部分に、そのレーベル画像の各部の階調値に応じた回数でレーザ光が照射される。これにより、レーベル面の各部分のレーベル色が適宜に薄められてレーベル画像が描画されることとなる。
【００４６】
ＤＶＤドライブ２００は、以上に説明した構成となっている。
【００４７】
次に、レーベル画像の編集について説明する。
【００４８】
本実施形態では、ＤＶＤドライブ２００に接続されたパーソナルコンピュータ１００が、本発明のレーベル画像描画装置の一実施形態として動作することで、このレーベル画像の編集が行なわれる。
【００４９】
図３は、図１および図２に示すパーソナルコンピュータ１００のハードウェア構成図である。
【００５０】
このパーソナルコンピュータ１００の本体装置１１０（図１参照）の内部には、図３に示すように、各種プログラムを実行するＣＰＵ１１１、ハードディスク装置１１３に格納されたプログラムが読み出されＣＰＵ１１１での実行のために展開される主メモリ１１２、各種プログラムやデータなどが保存されたハードディスク装置１１３、ＦＤ４１０をアクセスするＦＤドライブ１１４、ＣＤ−ＲＯＭ４２０が装填され、その装填されたＣＤ−ＲＯＭ４２０をアクセスするＣＤ−ＲＯＭドライブ１１５、図１のＤＶＤドライブ２００に接続されデータのやり取りを行なうＩ／Ｏインタフェース１１６が内蔵されており、これらの各種要素と、さらに図１にも示す画像表示装置１２０、キーボード１３０、マウス１４０は、バス１１７を介して相互に接続されている。
【００５１】
ここで、上記のＣＤ−ＲＯＭ４２０は、図１に示すコンピュータシステム１０を、本発明のレーベル画像描画装置の一実施形態として動作させるための、本発明のレーベル画像描画プログラムの一実施形態が記憶されてなる、本発明のレーベル画像描画プログラム記憶媒体の一実施形態に相当する。
【００５２】
そして、そのＣＤ−ＲＯＭ４２０がＣＤ−ＲＯＭドライブ１１５に装填されると、そのＣＤ−ＲＯＭ４２０に記憶されたプログラムがこのパーソナルコンピュータ１００にアップロードされてハードディスク装置１１３に書き込まれる。これにより、パーソナルコンピュータ１００はレーベル画像描画装置として動作する。
【００５３】
次に、本発明のレーベル画像描画プログラムの一実施形態、および、本発明のレーベル画像描画プログラム記憶媒体の一実施形態について説明する。
【００５４】
図４は、本発明のレーベル画像描画プログラムの一実施形態が記憶された、本発明のレーベル画像描画プログラム記憶媒体の一実施形態を示す概念図である。
【００５５】
図４に示すＣＤ−ＲＯＭ４２０は、本発明のレーベル画像描画プログラムの一実施形態であるレーベル画像描画プログラム５００が記憶されたものであり、本発明のレーベル画像描画プログラム記憶媒体の一実施形態に相当する。
【００５６】
このレーベル画像描画プログラム５００は、編集部５１０、レーベル画像描画部５２０、レイアウト保存部５３０、レイアウト入手部５４０、およびレイアウト表示部５５０で構成されている。
【００５７】
このレーベル画像描画プログラム５００の各部の詳細については、本発明のレーベル画像描画装置の一実施形態の各部の作用と併せて説明する。尚、以下の説明では、この図４に示す要素については特に図番を断らずに各図中の符号を使って参照する。
【００５８】
図５は、本発明のレーベル画像描画装置の一実施形態を備えた、本発明のレーベル画像描画システムの一実施形態を示すブロック図である。
【００５９】
この図５に示す、本発明のレーベル画像編集装置の一実施形態であるレーベル画像編集装置６００は、図４のレーベル画像編集プログラム５００が図１のパーソナルコンピュータ１００にインストールされて実行されることによって構成されるものであり、編集部６１０、レーベル画像描画部６２０、レイアウト保存部６３０、レイアウト入手部６４０、レイアウト表示部６５０、およびデータベース６６０を有する。
【００６０】
図４のレーベル画像編集プログラム５００が、図１のパーソナルコンピュータ１００にインストールされると、そのレーベル画像編集プログラム５００の編集部５１０、レーベル画像描画部５２０、レイアウト保存部５３０、レイアウト入手部５４０、およびレイアウト表示部５５０は、それぞれ図５に示すレーベル画像編集装置６００の編集部６１０、レーベル画像描画部６２０、レイアウト保存部６３０、レイアウト入手部６４０、およびレイアウト表示部６５０を構築する。ここで、これらレーベル画像編集装置６００の各要素は、コンピュータのハードウェアとそのコンピュータで実行されるＯＳやアプリケーションプログラムとの組合せで構成されているのに対し、図４のレーベル画像編集プログラム５００の各要素は、アプリケーションプログラムのみによって構成されている。また、本実施形態では、上記のデータベース６６０は、図３に示すハードディスク装置２１３に相当する。
【００６１】
ここで、このレーベル画像編集装置６００における編集部６１０、レーベル画像描画部６２０、レイアウト保存部６３０、レイアウト入手部６４０、およびレイアウト表示部６５０は、それぞれ本発明にいう編集部、レーベル画像描画部、レイアウト保存部、レイアウト入手部、およびレイアウト表示部の各一例に相当する。
【００６２】
以下、この図５に示すレーベル画像編集装置６００の各要素を説明することによって、図４に示すレーベル画像編集プログラム５００の各要素も併せて説明する。
【００６３】
編集部６１０では、ＤＶＤ３００のレーベル面３１０に描画されるレーベル画像が編集される。
【００６４】
レーベル画像描画部６２０では、編集部６１０で編集されたレーベル画像がＤＶＤ３００のレーベル面３１０に描画される。
【００６５】
レイアウト保存部６３０では、レーベル画像のレイアウトを表すレイアウト情報として、そのレーベル画像を表わす画像データがデータベース６６０に保存される。ここで、レイアウト保存部６３０は、レーベル画像描画部６２０がレーベル画像を描画したＤＶＤ３００に、所定のルールに従って通し番号を与える。本実施形態では、このＤＶＤ３００に固有の通し番号がそのＤＶＤ３００を特定する特定情報であり、この特定情報が、本発明にいう特定情報の一例に相当する。そして、レイアウト保存部６３０では、画像データの保存時には、その画像データが表わすレーベル画像が描画されたＤＶＤ３００の特定情報も、その画像データと一緒に保存される。
【００６６】
レイアウト入手部６４０では、編集部６１０による編集に際し、上記の特定情報とともに保存されている、過去のレーベル画像を表わす画像データが入手される。
【００６７】
レイアウト表示部６５０では、レイアウト入手部６４０によって入手された画像データが表す過去のレーベル画像が、編集部６１０による新たなレーベル画像編集のベースとして表示される。
【００６８】
図５に示すレーベル画像編集装置６００は、概略このように構成されている。以下、このレーベル画像編集装置６００の詳細について、このレーベル画像編集装置６００が実行する処理の流れに注目して説明する。尚、以下の説明では、この図５に示す要素については特に図番を断らずに参照する。
【００６９】
図６は、図５に示すレーベル画像編集装置６００が実行する処理の流れを示すフローチャートである。
【００７０】
このフローチャートが示す処理は、図１および図２に示すＤＶＤドライブ２００に、レーベル画像の描画対象のＤＶＤ３００が、データ面を下向きにして装填され、さらに、不図示の操作画面で、ユーザがレーベル画像の編集の開始を指示すると開始する。処理が開始すると、まず、レーベル画像編集装置６００のレイアウト入手部６４０が、ＤＶＤ３００のデータ面における所定箇所にアクセスして、その箇所に、このＤＶＤ３００を特定する特定情報が記録されているか否かを判定する（ステップＳ１０１）。
【００７１】
その箇所に特定情報が記録されていなかった場合（ステップＳ１０１におけるＮｏ判定）、後述のステップＳ１０２からステップＳ１０４までの処理が飛ばされて、編集部６１０によるレーベル画像の編集と、レーベル画像描画部６２０によるレーベル画像の描画が実行される（ステップＳ１０５）。このときのレーベル画像の編集は、レイアウト表示部６５０が白紙状態のレイアウトを図１に示す表示画面１２１に表示し、その白紙状態のレイアウト上に、ユーザが操作によって所望の文字列や画像等といった描画事項を配置することで行われる。また、編集が終了し、ユーザがレーベル画像の描画を指示すると、レーベル画像描画部６２０が、ＤＶＤ３００を、レーベル面を下向きにして装填するように指示するメッセージを表示画面１２１に表示し、そのメッセージに従ってＤＶＤ３００が装填されると、そのＤＶＤ３００のレーベル面に、編集されたレーベル画像が描画される。
【００７２】
このように、上記のステップＳ１０１におけるＮｏ判定に続いてステップＳ１０５においてレーベル画像の編集と描画が行われた場合には、次のステップＳ１０６では、レイアウト保存部６３０において、まず、このＤＶＤ３００に、上記の通し番号が特定情報として与えられる。そして、レイアウト保存部６３０が、ＤＶＤ３００を、データ面を下向きにして装填するように指示するメッセージを表示画面１２１に表示し、そのメッセージに従ってＤＶＤ３００が装填されると、レイアウト保存部６３０が、そのＤＶＤ３００のデータ面３２０（図５参照）の所定箇所に、このＤＶＤ３００の特定情報を記録する。続いて、レイアウト保存部６３０は、ステップＳ１０５において編集されたレーベル画像を表す画像データを、その特定情報とともにデータベース６６０に保存する。
【００７３】
ここで、以上に説明した、上記のステップＳ１０１におけるＮｏ判定に続くレーベル画像の編集と描画は、初回編集と初回描画である。本実施形態では、この初回のタイミングで、ＤＶＤ３００を特定する特定情報が生成され、データ面の所定箇所に記録される。そのため、２回目以降の編集と描画では、上記のステップＳ１０１において、データ面の所定箇所に特定情報が記録されていると判定され（ステップＳ１０１におけるＹｅｓ判定）、次のステップＳ１０２へと進むこととなる。
【００７４】
この場合、レイアウト入手部６４０は、データ面から特定情報を読み出し（ステップＳ１０２）、さらに、データベース６６０から、その特定情報とともに保存されている画像データを読み出す（ステップＳ１０３）。このステップＳ１０３で読み出される画像データは、直前の編集時に得られたレーベル画像を表す画像データである。そして、レイアウト表示部６５０は、その画像データが表すレーベル画像を、今回の編集のベースとして図１の表示画面１２１に表示する（ステップＳ１０４）。そして、ステップＳ１０５では、今回は、初回時とは異なり、その表示されたレーベル画像の上で編集が行われる。
【００７５】
図７は、図６のフローチャートが示す処理において実行される、２回目以降のレーベル画像の編集の様子を示す模式図である。
【００７６】
この図７には、２回目以降のレーベル画像の編集の際に、まず、レーベル画像の描画対象のＤＶＤ３００を特定する特定情報が用いられて、その特定情報とともに保存されている前回の画像データがデータベース６６０から読み出され、その画像データが表す前回のレーベル画像Ｐが表示される様子が示されている。図７の例では、この前回のレーベル画像Ｐには、ＤＶＤ３００にデータが記録された日付、その記録作業を行った作業者の名前、およびデータ記録済みのＤＶＤ３００に付されたタイトルからなる第１の描画事項Ｐ１と、データ面に記録されているデータを表すアイコン画像とファイル名「ＡＡＡ」とからなる第２の描画事項Ｐ２が配置されている。
【００７７】
このように、本実施形態では、２回目以降のレーベル画像の編集時には、前回のレーベル画像が表示されるので、ユーザは、その前回のレーベル画像を見て、今回新たに追加する描画事項を、既に描画されている描画事項を避けて配置して新たなレーベル画像を編集することができる。図７では、データ面に新たに記録されたデータを表すアイコン画像とファイル名「ＢＢＢ」とからなる第３の描画事項Ｐ３が、上記の第１の描画事項Ｐ１と第２の描画事項Ｐ２とを避けて配置される様子が示されている。
【００７８】
図６のフローチャートにおけるステップＳ１０５において、このような２回目以降のレーベル画像の編集が行われ、編集されたレーベル画像が描画されると、続くステップＳ１０６では、初回時と同様に、その編集されたレーベル画像を表す画像データが、ＤＶＤ３００を特定する、初回時に生成されデータ面に記録された特定情報とともにデータベース６６０に保存される。このように画像データの保存が完了すると、このフローチャートが示す処理が終了する。
【００７９】
以上、説明した本実施形態のレーベル画像描画装置６００によれば、２回目以降のレーベル画像の編集時には、前回のレーベル画像が図１の表示画面１２１に表示されるので、ユーザは、その表示されたレーベル画像を見ながら、既に描画されている描画事項を避けて新たな描画事項を適当に配置して、望ましいレーベル画像を得ることができる。
【００８０】
ここで、上記では、本発明のレーベル画像描画装置の一実施形態として、図３に示すハードディスク装置１１３に相当するデータベース６６０をレーベル画像を表す画像データの保存場所として用いる例を示したが、本発明はこれに限るものではなく、本発明のレーベル画像描画装置は、以下に説明するように、レーベル画像を表す画像データの保存場所として、そのレーベル画像が描画されたＤＶＤのデータ面を用いるという別形態であっても良い。
【００８１】
この別形態では、レイアウト保存部およびレイアウト入手部の動作が、図５に示す実施形態とは異なる。以下、この相違点について説明する。
【００８２】
図８は、図５に示す実施形態とは異なる別形態において実行されるレーベル画像の編集の様子を示す模式図である。
【００８３】
まず、この別形態では、レイアウト保存部は、初回と２回目以降との区別無く、編集されたレーベル画像を表す画像データのみを、そのレーベル画像が描画されたＤＶＤ３００のデータ面３２０の所定箇所に記録する。また、レイアウト入手部は、編集が開始されると、まず、データ面３２０におけるその所定箇所にアクセスする。そして、そのアクセスの結果、その所定箇所に画像データが記録されていないことが判明した場合には、表示画面に白紙状態のレイアウトが表示される。また、その所定箇所に画像データが記録されていた場合には、図８に示すように、その画像データが示す前回のレーベル画像Ｐが表示される。そして、ユーザが、その前回のレーベル画像を見て、今回新たに追加する描画事項Ｐ３を、既に描画されている描画事項Ｐ１，Ｐ２を避けて配置して新たなレーベル画像を編集すると、その編集で得られた今回のレーベル画像を表す画像データが、レイアウト保存部によってデータ面に記録される。
【００８４】
以上、図８を参照して説明した別形態では、レーベル画像を表す画像データの保存場所として、そのレーベル画像が描画されるＤＶＤ３００自体が使われる。このため、図５に示す実施形態のように、前回のレーベル画像を表す画像データを得るための手掛かりとしての特定情報が必要ではなくレイアウト保存部やレイアウト入手部の処理が簡単なものとなっている。そして、この別形態では、その簡単な処理で、図５に示す実施形態と同様に望ましいレーベル画像を得ることができる。
【００８５】
尚、上記では、本発明いうレイアウト保存部の一例として、装置内部のデータベース６６０に画像データを保存するレイアウト保存部や、レーベル画像が描画されたＤＶＤ３００のデータ面に画像データを保存するレイアウト保存部を例示し、また、本発明いうレイアウト入手部の一例として、装置内部のデータベース６６０から画像データを入手するレイアウト入手部や、レーベル画像が描画されたＤＶＤ３００のデータ面から画像データを入手するレイアウト入手部を例示したが、本発明はこれに限るものではない。本発明のレイアウト保存部は、例えば、外部のデータベースに画像データを保存するものであっても良く、本発明のレイアウト入手部も、そのような外部のデータベースから画像データを入手するもの等であっても良い。
【００８６】
また、上記では、本発明いうレイアウト保存部の一例として、レ−ベル画像を表す画像データを保存するレイアウト保存部を例示したが、本発明はこれに限るものではなく、本発明のレイアウト保存部は、例えば、レ−ベル画像を構成する文字列や図等といった描画事項の位置や大きさのみをレイアウト情報として保存するもの等であっても良い。
【００８７】
また、上記では、本発明にいう記録メディアの一例として、データが光で記録されるデータ面と、その光でレーベル画像が描画されるレーベル面とを有するレーベル描画型のＤＶＤを例示したが、本発明はこれに限るものではなく、本発明にいう記録メディアは、例えば、レーベル面への光学的な画像の出力が可能なレーベル出力型のＣＤ−ＲやＣＤ−ＲＷであっても良く、あるいは、レーベル画像が印刷されたシールがレーベル面に貼付される等といったレーベル非出力型のＤＶＤやＣＤ−ＲやＣＤ−ＲＷやフレキシブルディスク（ＦＤ）等であっても良い。また、上記ではレーベル描画型のＤＶＤの具体例については言及しなかったが、このレーベル描画型のＤＶＤとしては、例えばＬａｂｅｌｆｌａｓｈ（登録商標）対応のＤＶＤや、Ｌｉｇｈｔｓｃｒｉｂｅ（登録商標）対応のＤＶＤ等が挙げられる。ここで、Ｌａｂｅｌｆｌａｓｈ（登録商標）対応のＤＶＤを用いる場合には、Ｌａｂｅｌｆｌａｓｈ（登録商標）対応のＤＶＤドライブが必要となり、Ｌｉｇｈｔｓｃｒｉｂｅ（登録商標）対応のＤＶＤを用いる場合には、Ｌｉｇｈｔｓｃｒｉｂｅ（登録商標）対応のＤＶＤドライブが必要となる。
【図面の簡単な説明】
【００８８】
【図１】本発明のレーベル画像描画装置の一実施形態として動作するコンピュータシステムの外観斜視図である。
【図２】図１に示すＤＶＤドライブ２００の内部構成を示すハードウェアブロック図である。
【図３】図１および図２に示すパーソナルコンピュータ１００のハードウェア構成図である。
【図４】本発明のレーベル画像描画プログラムの一実施形態が記憶された、本発明のレーベル画像描画プログラム記憶媒体の一実施形態を示す概念図である。
【図５】本発明のレーベル画像描画装置の一実施形態を備えた、本発明のレーベル画像描画システムの一実施形態を示すブロック図である。
【図６】図５に示すレーベル画像編集装置６００が実行する処理の流れを示すフローチャートである。
【図７】図６のフローチャートが示す処理において実行される、２回目以降のレーベル画像の編集の様子を示す模式図である。
【図８】図５に示す実施形態とは異なる別形態において実行されるレーベル画像の編集の様子を示す模式図である。
【符号の説明】
【００８９】
１０    コンピュータシステム
１００    パーソナルコンピュータ
１１０    本体装置
１１０ａ    ＦＤ装填口
１１０ｂ    ＣＤ−ＲＯＭ装填口
１１１    ＣＰＵ
１１２    主メモリ
１１３    ハードディスク装置
１１４    ＦＤドライブ
１１５    ＣＤ−ＲＯＭドライブ
１１６    Ｉ／Ｏインタフェース
１１７    バス
１２０    画像表示装置
１２１    表示画面
１３０    キーボード
１４０    マウス
２００    ＤＶＤドライブ
２００ａ    ＤＶＤ装填口
２０１    光ピックアップ
２０２    スピンドルモータ
２０３    回転検出器
２０４    ＲＦアンプ
２０５    デコーダ
２０６    サーボ回路
２０７    ステッピングモータ
２０８    モータドライバ
２０９    インタフェース回路
２１０    バッファメモリ
２１１    エンコーダ
２１２    ストラテジ回路
２１３    フレームメモリ
２１４    データ変換器
２１５    レーザパワー自動制御回路（ＡＬＰＣ）回路
２１６    レーザドライバ
２１７    制御回路
３００    ＤＶＤ
３１０    レーベル面
３２０    データ面
４１０    ＦＤ
４２０    ＣＤ−ＲＯＭ
５００    レーベル画像描画プログラム
５１０    編集部
５２０    レーベル画像描画部
５３０    レイアウト保存部
５４０    レイアウト入手部
５５０    レイアウト表示部
６００    レーベル画像編集装置
６１０    編集部
６２０    レーベル画像描画部
６３０    レイアウト保存部
６４０    レイアウト入手部
６５０    レイアウト表示部
６６０    データベース
【図１】
2007272347.tif 000003
【図２】
2007272347.tif 000004
【図３】
2007272347.tif 000005
【図４】
2007272347.tif 000006
【図５】
2007272347.tif 000007
【図６】
2007272347.tif 000008
【図７】
2007272347.tif 000009
【図８】
2007272347.tif 000010